(57)【要約】      （修正有）【課題】  管路内面に設置物保持固定装置を設置する為の固定用具挿入機を提供する。【解決手段】  Ｘ形のフレーム状基板２、該基板２の長手方向の中央部に長方形の穴５が設けられ、該基板２の両端部の一方の最先端部には他の基板２と連結する為の結合手６を、他の端部には該結合手６と嵌合する結合手挿入孔７を有し、該両端部には一定の角度を設け、断面形状が台形となる側面部３を有し、該両側面３には内側に滑材を設け、結合手挿入孔７を有する端部の両側面３には設置物保持固定装置を結合する装着孔を形成する為の突出体９を有する設置保持具Ａ、及び（２）設置保持具Ａと嵌合する為に長手方向中央部が全長に亘り凹状とされた基板１１を有し、該基板１１の後端部の側面部１４に設置保持具Ａの側面突出体９と組合わせて設置物保持固定装置の装着孔を形成する為の凹部を有する設置保持具Ｂからなり、保持具Ａの下側に保持具Ｂを積重ねて嵌合する保持固定用具挿入機及び該挿入機を用いた設置物設工方法。【選択図】  図２
2006029455.tif 000002
【特許請求の範囲】
【請求項１】
（１）マンホールより挿入可能な大きさのＸ形のフレーム状基板、該基板の長手方向の中央部に長方形の穴が設けられ、該Ｘ形のフレーム状基板の両端部の一方の最先端部には他の基板と連結するための結合手を、他の端部には該結合手と嵌合する結合手挿入孔を有し、該両端部には一定の角度を設け、断面形状が台形となる側面部を有し、該両側面には内側に滑材が設けられており、結合手挿入孔を有する端部の両側面には設置物保持固定装置を結合する装着孔を形成するための突出体を有するものからなる設置保持具Ａ、及び（２）設置保持具Ａと嵌合するために長手方向中央部が全長に亘り凹状とされた基板を有し、該基板の後端部の側面部に設置保持具Ａの側面突出体と組合わせて設置物保持固定装置を装着する装着孔を形成するための凹部を有する設置保持具Ｂからなり、設置保持具Ａの下側に設置保持具Ｂを積重ねて嵌合することからなることを特徴とする管路内設置物の保持固定装置の管路内面へ設置のための保持固定用具挿入機。
【請求項２】
滑材が車輪である請求項１記載の保持固定用具挿入機。
【請求項３】
車輪が無限軌道車である請求項２記載の保持固定用具挿入機。
【請求項４】
結合手が、その先端部に結合手挿入孔との結合を強固にするための鉤部を有するものからなるものである請求項１記載の保持固定用具挿入機。
【請求項５】
設置物保持固定装置の装着孔での取付け及び開放が設置保持具Ａ或いはＢの移動によりワンタッチで可能な構造のものとされている請求項１記載の保持固定用具挿入機。
【請求項６】
設置物保持固定装置が設置物支持手段、該支持手段の下面に設けられその両端の部位は管路内面と接触し、該接触面は管路内面と同一の径の曲面を有する薄板からなる固定板、該設置物支持手段と該固定板の間にあって、該設置物支持手段の下部にその一部が埋設され、固定板よりも長く且つ管路内面円周の径よりも大きい径の曲面を有する板状又は線状物からなる固定手段からなる設置物の支持固定具及び該支持固定具上に載置する保持プレートからなるものである請求項１記載の保持固定用具挿入機。
【請求項７】
設置物が光ファイバーケーブル、燃料輸送パイプ、電力線、通信ケーブル及び光ファイバーケーブル用、燃料輸送用、ガス用、通信ケーブル用の管から選択されるものである請求項１、５、又は６記載の保持固定用具挿入機。
【請求項８】
請求項１記載の保持固定用具挿入機の一つをマンホール内の管路底に導入し、管路内設置物保持固定装置を該保持固定用具挿入機の所定の位置に取り付け、該設置物保持固定装置に設置物を固定し、該保持固定用具挿入機を該保持固定用具挿入機の結合手側より管路内に挿入し、次いで固定された設置物の後頭部を次の設置物保持固定装置に固着し、該設置物保持固定装置を次の保持固定用具挿入機に固定し、該次の保持固定用具挿入機の結合手を先の固定用具挿入機の結合手挿入孔と嵌合して保持固定用具挿入機を連結、管路内に送り込む操作を繰り返し行い、管路内に設置物保持固定装置及び設置物を固定することを特徴とする設置物の設置工法。
【請求項９】
設置物が光ファイバーケーブル、燃料輸送パイプ、電力線、通信ケーブル及び光ファイバーケーブル用、燃料輸送用、ガス用、通信ケーブル用の管から選択されるものである請求項８記載の管路内設置物の設置工法。
【発明の詳細な説明】
【技術分野】
【０００１】
本発明は管路内面に設置物を設置するための保持固定用具挿入機及びそれを用いた設置物の設置工法に関する。
【背景技術】
【０００２】
従来より、管路、特に埋設されている管路内面に別の管路やケーブルを設置する方法として、（１）ロボット工法（ケーブル敷設ロボットによる方法）、（２）サドル工法（人が入れる管路の中で手作業でサドルとよばれる取り付け具によって管壁面に管やケーブルを取り付ける方法）、（３）さや管工法（既存の管にさや管を入れて既存の管とさや管の間に管やケーブルを敷設する方法）、（４）引き流し工法（既存の管の中に管やケーブルを引き流して入れておく工法）等があるが、これらは例えば（１）の工法ではロボットが管路内を円滑に通過できなければ施工できない、（２）の工法では作業員が管路内に立ち入り安全に作業できる環境条件がいる、（３）の工法では既存の管の中にもう一本さや管と呼ばれる管を挿入しこの管と既存管の隙間に小管やケーブルと取り付ける工法で既存管の内径がかなり縮小されてしまう、（４）の工法では管路の中に管やケーブルを引き流して入れておく為下水道管の場合ゴミが引っ掛かるので清掃の問題や流下能力の低下問題、等の諸問題があった。そのため、本発明者は先にこれらの課題を解決できる既設管路内面への増設管固定装置及び増設管の固定装置工法を提案した（例えば特許文献１）。
そして、既設管路内面に増設管を設置するため、特定の機能を有する連結プレート及び該連結プレートに増設管固定装置を装着し、該増設管固定装置を装着した連結プレートを多数接続して順次増設管を管路内面に送り、設置固定する工法を提案している（例えば特許文献２）。
又本発明者は先に既設管路内面の増設管の支持固定装置及び増設管の固定工法として、「増設管支持手段、該支持手段の下面に設けられその両端の部位は既設管路内面と接触し、該接触面は該既設管路内面と同一の径の曲面を有する薄板からなる固定板、該増設管支持手段と該固定板の間にあって、該増設管支持手段の下部にその一部が埋設され、固定板よりも長く且つ該既設管路内面円周の径よりも大きい径の曲面を有する板状又は線状物からなる固定手段からなる増設管の支持固定具及び該支持固定具上に載置する保持プレートからなる、増設管の支持固定装置」、「増設管支持手段、固定板及び固定手段からなる増設管の支持固定具と保持プレートが一体成形されたものからなる増設管の支持固定装置」、「増設管支持手段、固定板及び固定手段からなる増設管の支持固定具の２個を成形し、該支持固定具２個と成形された保持プレートとを成形結合したものからなる増設管の支持固定装置」、「増設管支持手段、固定板及び固定手段からなる増設管の支持固定具を成形し、該支持固定具２個と成形された保持プレートを着脱自在に接続したものからなる増設管の支持固定装置」及び「これらの増設管の支持固定装置により既設管路内面の増設管を支持固定することを特徴とする既設管路の内面の増設管の支持固定工法」を提案した（特許文献３）。
【特許文献１】特許公開２００３−０２８３４０号
【特許文献２】特許公開２００３−１９９２２３号
【特許文献３】特許公開２００３−３０４６１４号
【発明の開示】
【発明が解決しようとする課題】
【０００３】
前記の特許文献１記載の増設管固定装置は１つ以上の増設管挿入用孔が設けられた増設管保持手段、該保持手段の下面に設けられその両端の部位は既設管路内面側と接触し、該接触面は該既設管路内面と同一の曲面を有する薄板からなる固定板、該増設管保持手段と該固定板の間にあって、該増設管保持手段の下部にその一部が埋設され、固定板よりも長く且つ該増設管路内面円周の径よりも大きい径の曲面を有する板状又は線状物からなる固定手段からなることを特徴とする既設管路内面への増設管固定装置であり、この増設管固定装置を既設管路内面に容易に設置することのできる手段或いは装置であり、又、特許文献２のものは増設管固定装置を連結プレートに装着し、これを順次連結して増設管を管路内に設置するものであるが、前記の特許文献２の連結プレートを用いるものでは、該連結プレートの両側面部分を滑走面として使用していた為に治具の枚数が増加すると加重による摩擦抵抗によって設置箇所に搬送するときにかなりの負荷が掛かりこれが多大な負担となって、その搬送がスムーズに行かないという問題があり、また増設固定装置の取付け位置が一枚目のサポートガイドと二枚目のサポートガイドを有する形状の連結孔により固定されているため一枚目の増設固定装置と二枚目の増設固定装置の中央が該挿入プレートの接続部が位置することになり一枚目と二枚目の増設管固定装置の取り付けの際この中央部に曲折現象が発生し固定装置の取り付けがスムーズにできず、連結プレートの接続部分においてもその部分に変形を起こし接続不良が生じ、又取り付け、取り外し作業にも難点があった。
そして、特許文献３の増設管の支持固定装置及び該増設管支持固定工法は新設又は既設管路内面に空間部を形成し、該空間部に設置物を設置するためのものであるが、これを連結して、スムーズに管路内面に施工するための手段としての特別の装置がなく、その提案が望まれるところであった。
【課題を解決するための手段】
【０００４】
本発明者は前記の課題を解決すべく鋭意研究の結果、マンホールより挿入可能な大きさの両端断面形状が台形の横長の特定の形状及び機能を有する基板からなる保持固定用具挿入機であって、該保持固定用具挿入機の特定の位置に設置物保持固定装置を取り付け、この保持固定用具挿入機を複数個連結して新設又は既設管路内（以下、管路内という）に設置物保持固定装置を設置し、該管路内面に設置物保持固定用の空間を形成すること及び該空間に設置物を設置することにより、前記の課題が解決できることを見出し、本願発明に到達した。
即ち、本発明は（１）（ｉ）マンホールより挿入可能な大きさのＸ形のフレーム状基板（Ｘ形とは長手方向の中央部がＸ形の形状にせばめられた構造をいう）、該基板の長手方向の中央部に長方形の穴が設けられ、該Ｘ形のフレーム状基板の両端部の一方の最先端部には他の基板と連結するための結合手を、他の端部には該結合手と嵌合する結合手挿入孔を有し、該両端部には一定の角度を設け、断面形状が台形となる側面部を有し、該両側面には内側に滑材が設けられており、結合手挿入孔を有する端部の両側面には設置物保持固定装置を結合する装着孔を形成するための突出体を有するものからなる設置保持具Ａ、及び（ii）設置保持具Ａと嵌合するために長手方向中央部が全長に亘り凹状とされた基板を有し、該基板の後端部の側面部に設置保持具Ａの側面突出体と組合わせて設置物保持固定装置を装着するための装着孔を形成するための凹部を有する設置保持具Ｂからなり、設置保持具Ａの下側に設置保持具Ｂを積重ねて嵌合することからなることを特徴とする管路内設置物の保持固定装置の管路内面へ設置のための保持固定用具挿入機、（２）滑材が車輪である（１）記載の保持固定用具挿入機、（３）車輪が無限軌道車である（２）記載の保持固定用具挿入機、（４）結合手が、その先端部に結合手挿入孔との結合を強固にするための鉤部を有するものからなるものである（１）記載の保持固定用具挿入機、（５）設置物保持固定装置の装着孔での取付け及び開放を設置保持具Ａ或いはＢの移動によりワンタッチで可能な構造のものとされている（１）記載の保持固定用具挿入機、（６）設置物保持固定装置が設置物支持手段、該支持手段の下面に設けられその両端の部位は管路内面と接触し、該接触面は管路内面と同一の径の曲面を有する薄板からなる固定板、該設置物支持手段と該固定板の間にあって、該設置物支持手段の下部にその一部が埋設され、固定板よりも長く且つ管路内面円周の径よりも大きい径の曲面を有する板状又は線状物からなる固定手段からなる設置物の支持固定具及び該支持固定具上に載置する保持プレートからなるものである（１）記載の保持固定用具挿入機、（７）設置物が光ファイバーケーブル、燃料輸送パイプ、電力線、通信ケーブル及び光ファイバーケーブル用、燃料輸送用、ガス用、通信ケーブル用の管から選択されるものである（１）、（５）、又は（６）記載の保持固定用具挿入機、（８）（１）記載の保持固定用具挿入機の一つをマンホール内の管路底に導入し、管路内設置物保持固定装置を該保持固定用具挿入機の所定の位置に取り付け、該設置物保持固定装置に設置物を固定し、該保持固定用具挿入機を該保持固定用具挿入機の結合手側より管路内に挿入し、次いで固定された設置物の後頭部を次の設置物保持固定装置に固着し、該設置物保持固定装置を次の保持固定用具挿入機に固定し、該次の保持固定用具挿入機の結合手を先の固定用具挿入機の結合手挿入孔と嵌合して保持固定用具挿入機を連結、管路内に送り込む操作を繰り返し行い、管路内に設置物保持固定装置及び設置物を固定することを特徴とする設置物の設置工法、（９）設置物が光ファイバーケーブル、燃料輸送パイプ、電力線、通信ケーブル及び光ファイバーケーブル用、燃料輸送用、ガス用、通信���ーブル用の管から選択されるものである（８）記載の管路内設置物の設置工法、に関する。
【発明の効果】
【０００５】
本発明の固定用具挿入機はマンホールより導入可能のものであり、マンホールより導入した後、これに管路内面設置物保持固定装置を取付け、多数連結して、設置物を管路内面に設置することができ、該管路内面設置物保持固定装置と設置物のバランスを取りながら、該保持固定装置の中心位置を決め確実に行なうことができると共に、滑走面の滑材を車輪特に無限軌道車としているので挿入及び取出しが摩擦抵抗がなく、段差や凹凸がある場合も極めてスムーズである。又、横長の中央部に長方形の穴を設けた基板を有する設置保持具Ａと長手方向の中央部が全長に亘り凹状とされた基板を有する設置保持具Ｂとからなり、該設置保持具Ａを上に該設置保持具Ｂを下にして嵌合させ、これにより、設置物保持固定装置を結合するための装着孔をこの設置物保持固定用具挿入機の一端に設定した構造のものとしたので設置物保持具Ａ又は設置物保持具Ｂの移動により該装着孔の開閉ができ、設置物保持固定装置の取付け及び取りはずし作業が簡単にできると共に、従来のものでは設置物保持固定装置の取付けの際に基板の中央部の曲折現象により、連続しての取付け作業をする際に難点があったものが解消されるという効果がある外に、保持固定用具挿入機の接続も結合手と結合手挿入孔との単なる嵌合による構造のものとしたので、接続結合操作が容易であると共に、変形や接続不良がなくなるという優れた効果を奏するものである。
【発明を実施するための最良の形態】
【０００６】
本発明は新設又は既設管路（主に下水管）内面に１以上（単数或いは複数）の光ファイバーケーブル、燃料輸送用パイプ、電力線、通信ケーブル或いは別の管（ケーブル等設置のための管、設置管、例えば光ファイバーケーブル用、燃料輸送用、ガス用、通信ケーブル用の管）を設置するために管路内設置物保持固定装置を用いて固定設置するための保持固定用具挿入機である。
本発明の保持固定用具挿入機について以下に詳しく説明する。
図１は本発明の管路内設置物保持固定装置の管路内面への設置のための保持固定用具挿入機（以下保持固定用具挿入機という）の斜視模式図であり、図２は本発明の保持固定用具挿入機の設置保持具Ａ（Ｉ）及び設置保持具Ｂ（II）のそれぞれ平面及び側面の模式図であり、図２において、（Ｉ）の左辺の図は設置保持具Ａの後端部の断面模式図であり、（Ｉ)の右辺の図は設置保持具ＡのＸ−Ｘ断面模式図であり、図２において、（II）の左辺の図は設置保持具Ｂの後端部の断面模式図である。図３は本発明の保持固定用具挿入機の設置保持具Ａ、同Ｂの後方端部の嵌合様式を示す断面模式図であり、図４は本発明の保持固定用具挿入機の設置物保持固定用装置の装着孔の開閉状態を示す後端部斜視模式図であり、（Ａ）は該装着孔の閉じた状態、（Ｂ）は該装着孔の開いた状態を示す。図５は本発明の保持固定用具挿入機の後部側面内側に装着されている無限軌道車の模式図であり、図６は本発明の設置保持具Ａの後方側面内側部にある無限軌道車の車輪中央の断面構造模式図であり、図７は本発明の無限軌道車の車輪用ベルトの断面構造模式図であり、図８は本発明の保持固定用具挿入機の基板と結合手との結合状態を示す断面模式図であり、図９は設置物保持固定装置の構造模式図であり、図１０は本発明の保持固定用具挿入機に設置物保持固定装置を装着した模式図である。
図中、１は保持固定用具挿入機、２は設置保持具Ａの基板、３，３’は設置保持具Ａ側面部、４，４’は無限軌道車、４ａはベルト、５は設置保持具Ａの基板の中央部の孔、６は結合手、７は結合手挿入孔、８は結合手受、９は設置物保持固定装置の装着孔形成用突出体、１０は設置物保持固定装置の装着孔である。又１１は設置保持具Ｂの基板、１２は設置保持具Ｂの中央部受皿、１３は設置保持具Ｂの後端部基板、１４は設置保持具Ｂ後端側面部の設置物保持固定装置の装着孔形成用凹部、１５は設置保持具Ｂのスライド用穴である。更に２１は設置物保持固定装置、２２は設置物支持手段、２３は固定板、２４は固定手段、２５は固定板結合部、２６は固定補助手段、２７は保持プレートである。
図１及び図２に示すように、本発明の設置物保持固定用具挿入機は設置保持具Ａと設置保持具Ｂとを組合わせたものからなる。設置保持具Ａは横長の中央部に穴５を有する基板２からなり、該基板２の両端部には側面部３，３’を有し、該側面部３，３’は基板２と共に断面形状が台形の構造となっている。該側面３側にはその内面に滑材として車輪、例えば無限軌道車４，４’が配備されている。又基板２の前方端部には結合手６、基板２の後方端部には該結合手６と嵌合する結合手挿入孔７が設けられ、これにより、保持固定用具挿入機を複数連結するものである。設置保持具Ａの後端部には結合手６と結合手挿入孔７との連結を安定且つ強固にするために結合手受８が設けられている。又後端部側面３側には設置物保持固定装置の装着孔１０を形成するための装着孔形成用突出体９が設けられている。
又設置保持具Ｂは横長の中央部が凹状にされた受皿１２を有する基板１１からなり、該設置保持具Ｂの後端には、後端部側面形成用基板１３と側面１４が設けられ、該側面１４は設置物保持固定装置の装着穴形成用凹部を有する。そして、基板１１の両端部の中央よりに設置保持具Ｂをスライドさせるためのスライド用穴１５がそれぞれ設けられている。
本発明の設置物保持固定用具挿入機は設置保持具Ａと設置保持具Ｂを組合わせたものからなるが、図３に示すように上に設置保持具Ａを設置保持具Ｂ上に重ね合わせて嵌合させたものからなる。
図４に示すように、設置保持具Ａと設置保持具Ｂとを組合わせ嵌合し、設置物保持固定装置の装着孔１０を形成し、該装着孔１０に該設置物保持固定装置を装着する。該設置物保持固定装置装着時の装着孔１０は図４の（Ａ）に示すように閉じられた孔となっている。該装着孔１０から、設置物保持固定装置を開放するには、設置保持具Ｂを矢印の方向に移動させ、図４の（Ｂ）に示すように装着孔１０を開くことにより行なう。この移動は設置保持具Ｂのスライド用穴１５の端に合わせて設けられた設置保持具Ａに設けられたピンとにより、その移動の範囲がコントロールされる。
本発明の設置物保持固定用具挿入機の大きさは、管の大きさ等により適宜選択できる。例えば長さ７５０ｍｍ、横９０ｍｍ、高さ１８ｍｍものが挙げられ、これは管径２００ｍ／ｍ用の挿入機の大きさであり、管径によってこの大きさは異なり、その都度決めることができるものである。
本発明の保持固定用具挿入機にはその後端側面部の内側に滑材として無限軌道車４，４’が設けられている。無限軌道車４，４’は図５に示すようにベルト４ａで継がれており、この無限軌道車により管路内に凹凸があっても保持固定用具挿入機をスムーズに通過導入させることができる。
無限軌道車は図６に示すようにその車輪の中央部に円形の凹部（Ａ）又は三角形の凹部（Ｂ）が設けられており、これらの車輪をその形状に応じて図７の（Ａ）に示す中央に円形の凸部が設けられたベルト４ａ又は図７の（Ｂ）に示す中央部に三角形の凸部が設けられたベルト４ａで重連される。
設置保持具Ａの基板２の前方先端部には保持固定用具挿入機を１以上接合するための結合手６を、後方端部には該結合手６と嵌合する結合手挿入孔７が設けられ、これにより保持固定用具挿入機を順次連結して管路内面に挿入し、設置物である光ファイバーケーブル、燃料輸送パイプ、電力線、通信ケーブル及び光ファイバーケーブル用、燃料輸送用、ガス用、通信ケーブル用の管等を設置する空間を形成するものである。そして図１、２及び４に示すように該基板２の後方先端部に結合手６を支えるための結合手受８が設けられ、結合手６はこの結合手受８と基板２の間に挿入され、この結合手受８により保持固定用具挿入機１同志の接続連結を安定した堅固なものとすることができる。該結合手６は図８に示すように該基板２の下方にはり合わされている構造となっている。これによって保持固定用具挿入機の接続連結が安定した強固なものとなるのである。
図１０で示すように保持固定用具挿入機１は、その後方側面端部にある装着孔９に設置管保持固定装置２１を設置し、これを管路内の所定の位置に搬送設定する治具となるものである。
即ち、本発明の保持固定用具挿入機１はその所定の位置に設置物保持固定装置２１を装着し、これを多数連結して管路内に順次挿入し、管路内面に１以上の設置物を設置する空間を形成或いは設置物を設置するものである。設置物保持固定装置２１は保持固定用具挿入機１の後方部の側面部３の両側面の装着孔１０に取り付けられる。設置物保持固定装置２１は、本発明者が特許公開２００３−３０４６１６号で提案した、例えば図９に示すようなものが用いられる。該設置物保持固定装置２１は、設置物保持手段２２を有し、該設置物保持手段２２の下部に固定板２３と固定手段２４が設けられている。固定板２３は設置物支持手段２２と固定定手段２４とを固定するものであり、金属の薄板からなるものである。固定手段２４は該設置物支持手段２２に固定板２３で結合され、固定板よりも長く、設置物支持手段に近い部位は管路内面の円周の径と同一であるが、その両側の先端部に行くにしたがって管路内面の円周の径よりも大きく広がった径に設計された板状又は線状のものからなるものであり、固定手段２４の先端部に固定補助手段２６が設けられる。この固定手段２４の先端部を保持固定用具挿入機１の設置物保持固定装置の装着孔１０に嵌合し固定するものである。
又設置物支持手段２２には設置物である光ファイバーケーブル、燃料輸送用パイプ、電力線、通信ケーブル或いは光ファイバーケーブル用、燃料輸送用、ガス用、通信ケーブル用の管を保持するための保持プレート２７が載置される。この保持プレート２７は図９に示すように、設置物保持固定装置の設置物支持手段２２上に載置されるため、その断面形状は該設置物支持手段２２と同一の形状のものであって、設置物が設置できる１又はそれ以上のスペースを有する構造のものである。
本発明の保持固定用具挿入機は金属製又はプラスチック製等であることができ、その大きさはマンホールより挿入して組立て使用するものであるので、マンホールの径の大きさより小さいものが好ましい。この保持固定用具挿入機は図１に示すような形状のものであるが、その横の長さ（長手方向の長さ）が、例えば好ましくは７５０ｍｍ、縦の全体の長さは管路内面や設置物保持固定装置２１の大きさより適宜選択されるが、例えば９０ｍｍである。そして基板２の長手方向の中央部の内側への湾曲のＲは例えば１０００ｍｍである。又、側面の巾の大きさは例えば片側約１８ｍｍであり、又、滑車の大きさは例えば径約１８ｍｍである。側面３，３’の厚み及び基板２の厚みは適宜に採用されるが、金属製のものでは約２ｍｍのものである。固定用具挿入機の結合手６の大きさは適宜に選択採用されるが、前記の大きさの固定用具挿入機の場合、その縦の全長が例えば約８５ｍｍ、横の長さが約５４ｍｍ、固定用具挿入機より結合手先端までの長さが２４ｍｍであることができる。又固定用具挿入機の後方先端部に設けられる結合手段挿入孔７は結合手６と嵌合する大きさのものである。
【０００７】
本発明の保持固定用具挿入機を使用して、管路内面に設置物を設置する工法について説明する。
保持固定用具挿入機１の一つをマンホール内の管路底に導入し、図１０に示すように設置物保持固定装置２１を保持固定用具挿入機１の装着孔１０に設置物保持固定装置の固定手段２４を取付け、該設置物保持固定装置２１の保持プレート２７に設置物である例えば光ファイバーケーブル用管等を取り付け固定し（図示せず）、固定終了後、図１０の矢印方向に保持固定用具挿入機の結合手６側より管路内に該固定用具挿入機を挿入し、設置物保持固定装置２１に固定された設置物の後頭部がマンホールの中央部に来た時、次の設置物保持固定装置２１の保持プレート２７に、該設置物の後頭部を固定し、該設置物保持固定装置２１を次の固定用具挿入機１に固定し、該固定用具挿入機１の連結プレート結合手６を先の固定用具挿入機の結合手挿入孔７と嵌合し、矢印方向に管路部まで送り込む、この操作を繰り返して行なうことにより、管路内に連続した固定用具挿入機１と共に設置物を装着した設置物保持固定装置２１を順次挿入配置する。設置物保持固定装置２１の管路内の配置位置を確認後、一連の連結した固定用具挿入機１の下方の設置保持具Ｂを後方側に引っ張ると、装着孔１０が開き固定用具挿入機１の設置物保持固定装置２１は保持固定用具挿入機１より開放され、管路内に設置物と共に固定される。設置物保持固定装置２１が開放され離脱した後の保持固定用具挿入機１はマンホール内で１つずつ取り外し回収する。
【図面の簡単な説明】
【０００８】
【図１】本発明の設置物保持固定装置の管路内面へ設置のための保持固定用具挿入機の斜視模式図である。
【図２】本発明の保持固定用具挿入機を構成する設置保持具Ａ及び設置保持具Ｂの平面模式図である。
【図３】本発明の保持固定用具挿入機の設置保持具Ａ及び設置保持具Ｂの後方端部の嵌合様式を示す断面模式図である。
【図４】本発明の設置物保持固定用具挿入機の設置物固定用装置を装着するための装着孔の開閉状態を示す後端部斜視模式図である。
【図５】本発明の保持固定用具挿入機の後部側面内側の無限軌道車の模式図である。
【図６】本発明の無限軌道車の車輪中央の断面構造模式図である。
【図７】本発明の無限軌道車の車輪用ベルトの断面構造模式図である。
【図８】本発明の保持固定用具挿入機の基板と結合手との結合状態を示す断面模式図である。
【図９】設置物保持固定装置の構造模式図である。
【図１０】本発明の保持固定用具挿入機に設置物保持固定装置を装着した模式図である。
【符号の説明】
【０００９】
１．保持固定用具挿入機
２．設置保持具Ａの基板
３、３’．設置保持具Ａの側面部
４、４’．無限軌道車
４ａ．ベルト
５．設置保持具Ａの基板２の中央部の孔
６．結合手
７．結合手挿入孔
８．結合手受
９．設置物保持固定装置の装着孔形成用突出体
１０．設置物保持固定装置の装着孔
１１．設置保持具Ｂの基板
１２．設置保持具Ｂの中央部受皿
１３．設置保持具Ｂの後端部基板
１４．設置物保持固定装置の装着用凹部
１５．設置保持具Ｂのスライド用穴
２１．設置物保持固定装置
２２．設置物支持手段
２３．固定板
２４．固定手段
２５．固定板結合部
２６．固定補助手段
２７．保持プレート
【図１】
2006029455.tif 000003
【図２】
2006029455.tif 000004
【図３】
2006029455.tif 000005
【図４】
2006029455.tif 000006
【図５】
2006029455.tif 000007
【図６】
2006029455.tif 000008
【図７】
2006029455.tif 000009
【図８】
2006029455.tif 000010
【図９】
2006029455.tif 000011
【図１０】
2006029455.tif 000012